(57)【特許請求の範囲】
【請求項１】
燃料ガスを貯蔵する燃料タンクおよび前記燃料ガスと空気を酸化反応させて熱を発生させる触媒燃焼加熱部を有する発熱部と、背面部に前記発熱部を装着する装着部を有する暖房用具と、前記暖房用具の内部に前記装着部を人体に固定する連結部とを具備し、前記暖房用具は、前記装着部の上方に前記発熱部で暖められた暖気を前記背面部に流動拡散させる空気流拡散用通路を設けるとともに、前記暖房用具の前面部および背面部の人体側をメッシュで構成し、前記暖房用具の上に外部衣服を着用したとき、前記背面部のメッシュを通して人体側へ放出された暖気がメッシュで構成された前記前面部を通って前記暖房用具と外部衣服との間に広がるようにした暖房装置。
【請求項２】
暖房用具の前面部と背面部を連結する伸縮部と、前記暖房用具の前面部を開閉する開閉部とを具備した請求項１記載の暖房装置。
【発明の詳細な説明】
【０００１】
【発明の属する技術分野】
本発明は、人体に着用する暖房用具に加熱装置を設けて人体を暖める暖房装置に関するものである。
【０００２】
【従来の技術】
従来、この種の暖房装置は図９および図１０に示すように構成していた。以下、その構成について説明する。
【０００３】
図に示すように、発熱部１は、燃料ガスを貯蔵する着脱自在な燃料タンク２と、この燃料タンク２から供給管３を介して供給される燃料ガスと空気を酸化反応させて熱を発生させる触媒燃焼加熱部４と、この触媒燃焼加熱部４で発生する熱を検知して前記触媒燃焼加熱部４を任意の温度に制御する制御部５を有している。
【０００４】
暖房用具６は、衣類により人体に着用可能に構成し、例えばベストのような形態に形成している。そして、背面部には発熱部１を装着するポケット部７を設け、発熱部１を暖房用具６の背面部に保持できるよう構成している。暖房用具６の背面部には空気流拡散用通路８を設けてあり、発熱部１から放出される熱は発熱部１の上方に送られて空気流拡散用通路８内に流入し、暖房用具６の背面に暖気を流動拡散させるとともに、空気流拡散用通路８内に拡散した暖気は、暖房用具６の背面部に設けた通気孔９を通って暖房用具６から人体側に放出するよう構成している。
【０００５】
上記の構成において、人体を暖めるときは、まず、暖房用具６の背面部に発熱部１を装着して暖房用具６を着用する。燃料タンク２に貯蔵した燃料ガスと空気を酸化反応させて熱を発生させ、この熱で加熱される触媒燃焼加熱部４から発生する暖気は、暖房用具６の背面部に設けた空気流拡散用通路８内に拡散され、通気孔９を通って暖房用具６から人体側に暖気を放出し、暖気を背面全体に拡散させて人体を効率よく暖め、良好な加温性を得ることができる。
【０００６】
【発明が解決しようとする課題】
しかしながら、このような従来の暖房装置では、暖房用具６を人体に着用したとき、人体と暖房用具６との間に大きな隙間ができてしまい、効率よく人体を温めることができないという問題を有していた。また、触媒燃焼加熱部４から発生する暖気が暖房用具６内を循環せず、快適に人体を温めることができないという問題もあった。
【０００７】
本発明は上記課題を解決するもので、暖房用具を人体に着用したとき、発熱部を装着した暖房用具を人体に密着させて人体を均一な温度で効果的に温めることができる快適な暖房装置を実現することを目的としている。
【０００８】
【課題を解決するための手段】
本発明は上記目的を達成するために、燃料ガスを貯蔵する燃料タンクおよび燃料ガスと空気を酸化反応させて熱を発生させる触媒燃焼加熱部とを有する発熱部を暖房用具の背面部に設けた装着部に装着し、暖房用具の内部に装着部を人体に固定する連結部を具備し、前記暖房用具は、前記装着部の上方に前記発熱部で暖められた暖気を前記背面部に流動拡散させる空気流拡散用通路を設けるとともに、前記暖房用具の前面部および背面部の人体側をメッシュで構成し、前記暖房用具の上に外部衣服を着用したとき、前記背面部のメッシュを通して人体側へ放出された暖気がメッシュで構成された前記前面部を通って前記暖房用具と外部衣服との間に広がるようにしたものである。
【０００９】
これにより、暖房用具を人体に着用したとき、発熱部を装着した暖房用具を人体に密着させ、発熱部で発生した熱を暖房用具を介して人体に供給することができて効果的に温めることができるとともに、発熱部で発生した熱を均一に広げることができ、暖房部分を均一で効果的に暖かくすることができる。
【００１０】
【発明の実施の形態】
本発明の請求項１に記載の発明は、燃料ガスを貯蔵する燃料タンクおよび前記燃料ガスと空気を酸化反応させて熱を発生させる触媒燃焼加熱部を有する発熱部と、背面部に前記発熱部を装着する装着部を有する暖房用具と、前記暖房用具の内部に前記装着部を人体に固定する連結部とを具備し、前記暖房用具は、前記装着部の上方に前記発熱部で暖められた暖気を前記背面部に流動拡散させる空気流拡散用通路を設けるとともに、前記暖房用具の前面部および背面部の人体側をメッシュで構成し、前記暖房用具の上に外部衣服を着用したとき、前記背面部のメッシュを通して人体側へ放出された暖気がメッシュで構成された前記前面部を通って前記暖房用具と外部衣服との間に広がるようにしたものであり、暖房用具を人体に着用したとき、連結部によって発熱部を装着した暖房用具を人体に密着させ、発熱部で発生した熱を暖房用具を介して人体に供給することができて効果的に温めることができるとともに、発熱部で発生した熱を均一に広げることができ、暖房部分を均一で効果的に暖かくすることができる。また、暖房用具を人体に着用し、暖房用具の上に外部衣服を着用したとき、暖房用具内の暖気を暖房用具と外部衣服との間に広げることができ、人体を効率よく温めることができる。
【００１１】
請求項２に記載の発明は、暖房用具の前面部と背面部を連結する伸縮部と、前記暖房用具の前面部を開閉する開閉部とを具備したものであり、暖房用具を人体に着用したとき、伸縮部および開閉部によって発熱部を装着した暖房用具を人体に密着させ、発熱部で発生した熱を暖房用具を介して人体に供給することができて効果的に温めることができるとともに、発熱部で発生した熱を均一に広げることができ、暖房部分を均一で効果的に暖かくすることができる。
【００１２】
【実施例】
以下、本発明の実施例について図面を参照しながら説明する。
【００１３】
（実施例１）
図１〜図３に示すように、暖房用具１０は、衣類により例えばベストのような形態に形成し、人体の上半身に着用できるようにしている。背面部１１の上部に設けた左右一対の肩掛け部１２と前面部１３との間に、調節部１４により長さが調節可能な連結紐１５を架設し、暖房用具１０の内部に設けた連結部１６をバックル１７により着脱自在に連結して人体に着用可能に構成し、暖房用具１０の背面部１１に発熱部１８を装着する装着部１９を設けている。連結部１６は調節部１６ａにより長さが調節できるようにしている。
【００１４】
暖房用具１０の前面部１３はメッシュで構成し、この前面部１３と背面部１１を伸縮部２０で伸縮自在に連結し、暖房用具１０の前面部１３を開閉部２１により開閉可能としている。
【００１５】
装着部１９は、発熱部１８の厚みより大な襠部２２を設け、この装着部１９の上方には、装着部１９と一体に空気流拡散用通路２３を設けている。発熱部１８で発生する暖気は、空気流拡散用通路２３内に流入し、暖房用具１０の背面部１１に暖気を流動拡散させるとともに、空気流拡散用通路２３内に拡散した暖気は、暖房用具１０の背面部１１に設けた通気孔２４を通って暖房用具１０から人体側に放出するように構成している。
【００１６】
発熱部１８は、図４および図５に示すように構成している。燃料ガスを貯蔵する着脱自在な燃料タンク２５から燃料調節部２６および供給管２７を介して、燃料ガスを触媒燃焼加熱部２８に供給し、この触媒燃焼加熱部２８で燃料ガスと吸気チューブ２９より取り入れた空気を酸化反応させて熱を発生させる。この触媒燃焼加熱部２８で発生する熱を温度検知部３０により検知する。
【００１７】
温度検知部３０の出力を制御部３１に入力し、制御部３１により燃料調節部２６を制御して触媒燃焼加熱部２８の温度を任意の温度に制御するよう構成している。着火部３２は制御部３１により制御して触媒燃焼加熱部２８で燃料ガスに着火させるものである。加熱シート３３は熱伝導繊維などの熱伝導材料で構成し、発熱部１８を暖房用具１０の背面部１１に保持できるように構成している。
【００１８】
上記の構成において動作を説明する。人体を暖めるときは、まず、暖房用具１０の背面部１１に設けた装着部１９に発熱部１８を装着し、連結紐１５により前面部１３と連結した肩掛け部１２を肩に掛けた後、適切な長さに調節した連結紐１６をバックル１７により結合して暖房用具１０を着用する。
【００１９】
このとき、暖房用具１０の前面部１３に設けた開閉部２１を閉じると、図６に示すように、人体３４の体型に応じて伸縮部２０は伸縮し、体型に関係なく、人体と暖房用具１０との間に大きな隙間がなくなるよう着用することができる。この暖房用具１０の上に外部衣服３５を着用する。
【００２０】
次に、制御部３１により燃料調節部２６を開いて、燃料タンク２５に貯蔵した燃料ガスを触媒燃焼加熱部２８に供給するとともに、着火部３２を動作させて着火し、燃料ガスと吸気チューブ２９より取り入れられた空気を酸化反応させて熱を発生させる。
【００２１】
発熱部１８で発生する暖気は、空気流拡散用通路２３内に流入し、暖房用具１０の背面に流動拡散させるとともに、空気流拡散用通路２３内に均一に拡散され、暖房用具１０の背面部１１に設けた通気孔２４を通って暖房用具１０から人体側に放出する。したがって、暖気を背面全体に拡散させて人体を暖めることができ、良好な加温性を得ることができる。
【００２２】
また、暖房用具１０を人体に着用したとき、連結部１６と伸縮部２０および開閉部２１によって発熱部１８を装着した暖房用具１０を人体に密着させ、人体３４と暖房用具１０との間に大きな隙間がなくなり、発熱部１８で発生した熱を暖房用具１０を介して人体３４に供給することができて効果的に温めることができる。
【００２３】
さらに、連結紐１６をバックル１７により結合して、背面部１１に設けた発熱部１８を装着している装着部１９を人体３４に固定するため、発熱部１８により重くなっている暖房用具１０の重量を人体３４の腰部で受けとめることができる。その結果、人体３４の肩部にかかる負荷を軽減できるので、発熱部１８で発生した暖気を効率よく人体３４に伝えることができ、かつ、快適な着用感を得ることができる。
【００２４】
また、暖房用具１０の背面部１１から放出された暖気は、図６の矢印で示すように、暖房用具１０内に拡散され、暖房用具１０内で前面に回り込み、メッシュで構成された暖房用具１０の前面部１３を通って外部衣服３５と暖房用具１０との間に拡散される。
【００２５】
したがって、暖房用具１０の背面部１１から放出された暖気は暖房用具１０の内部を通り、人体前面部に回り込むといった暖気の循環が発生するので、人体３４を均一にかつ快適に暖めることができる。
【００２６】
なお、本実施例では、暖房用具１０の内部に設けた連結部１６をバックル１７により着脱自在に連結して人体に着用可能に構成し、暖房用具１０の前面部１３前面部１３と背面部１１を伸縮部２０で連結し、暖房用具１０の前面部１３を開閉部２１により開閉可能としているが、開閉部２１と連結部１６または伸縮部２０のいずれか一方を設けるだけでも同様の作用効果を得ることができる。
【００２７】
また、本実施例では、暖房用具１０の前面部１３はメッシュで構成しているが、メッシュで構成したものでなくても、発熱部１８で発生する暖気を暖房用具１０の背面部１１に設けた通気孔２４を通って暖房用具１０から人体側に放出することにより、暖気を背面全体に拡散させて人体を暖めることができ、良好な加温性を得ることができる。
【００２８】
さらに、連結部１６を伸縮自在な部材で構成すれば、暖房用具１０を人体に固定した場合でも人体の動作に応じて連結部１６が伸縮するため、人体への圧迫感を軽減することができるとともに、動きを自由にすることができる。
【００２９】
（実施例２）
図７および図８に示すように、暖房用具３６は、背面部３７の人体側をメッシュで構成している。他の構成は上記実施例１と同じである。
【００３０】
上記構成において動作を説明する。暖房用具３６を人体に着用し、触媒燃焼加熱部２８にて燃料ガスと空気とを酸化反応させて熱を発生させると、発生された暖気は、空気流拡散用通路２３内に流入し、暖房用具３６の背面に流動拡散させるとともに、空気流拡散用通路２３内に均一に拡散され、暖房用具３６の背面部３７の人体側のメッシュを通って暖房用具３６から人体側に放出する。
【００３１】
したがって、発熱部１８で発生した暖気は抵抗なく暖房用具３６内に放出されるので、効率よく暖気を背面全体に拡散させて人体を暖めることができ、良好な加温性を得ることができる。
【００３２】
【発明の効果】
以上のように本発明の請求項１に記載の発明によれば、燃料ガスを貯蔵する燃料タンクおよび前記燃料ガスと空気を酸化反応させて熱を発生させる触媒燃焼加熱部を有する発熱部と、背面部に前記発熱部を装着する装着部を有する暖房用具と、前記暖房用具の内部に前記装着部を人体に固定する連結部とを具備し、前記暖房用具は、前記装着部の上方に前記発熱部で暖められた暖気を前記背面部に流動拡散させる空気流拡散用通路を設けるとともに、前記暖房用具の前面部および背面部の人体側をメッシュで構成し、前記暖房用具の上に外部衣服を着用したとき、前記背面部のメッシュを通して人体側へ放出された暖気がメッシュで構成された前記前面部を通って前記暖房用具と外部衣服との間に広がるようにしたから、暖房用具を人体に着用したとき、連結部によって発熱部を装着した暖房用具を人体に密着させることができ、発熱部で発生した熱で人体を効果的に温めることができるとともに、暖房用具を人体に着用し、暖房用具の上に外部衣服を着用したとき、暖房用具内の暖気を暖房用具と外部衣服との間に広げることができ、人体を効率よく温めることができる。
【００３３】
また、請求項２に記載の発明によれば、暖房用具の前面部と背面部を連結する伸縮部と、前記暖房用具の前面部を開閉する開閉部を具備したから、暖房用具を人体に着用したとき、伸縮部および開閉部によって発熱部を装着した暖房用具を、人体の動作を阻害することなく人体に密着させることができ、発熱部で発生した熱で人体を効果的に温めることができる。
【図面の簡単な説明】
【図１】  本発明の第１の実施例の暖房装置の前面部を広げた展開図
【図２】  同暖房装置の正面図
【図３】  同暖房装置の側断面図
【図４】  同暖房装置のブロック回路図
【図５】  同暖房装置の発熱部の拡大正面図
【図６】  同暖房装置の使用状態を示す断面図
【図７】  本発明の第２の実施例の暖房装置の前面部を広げた展開図
【図８】  同暖房装置の側断面図
【図９】  従来の暖房装置の正面図
【図１０】  同暖房装置の発熱部の拡大正面図
【符号の説明】
１０  暖房用具
１１  背面部
１６  連結部
１８  発熱部
１９  装着部
２５  燃料タンク
２８  触媒燃焼加熱部
【図１】
0003804318.tif 000002
【図２】
0003804318.tif 000003
【図３】
0003804318.tif 000004
【図４】
0003804318.tif 000005
【図５】
0003804318.tif 000006
【図６】
0003804318.tif 000007
【図７】
0003804318.tif 000008
【図８】
0003804318.tif 000009
【図９】
0003804318.tif 000010
【図１０】
0003804318.tif 000011